(57)【要約】【課題】  印刷物にした段階で別途、印鑑やサインなどで承認されたことを表す作業が必要であり、文字列やバーコードなどを印刷しただけのものは偽造などを行いやすく印刷物にした場合に判別がつきにくいという問題があった。【解決手段】  電子承認された印刷データを印刷する際に承認情報を電子透かしで印刷物に付加することにより、承認情報を不可視化し偽造を防ぐ。【選択図】  図１
2007036838.tif 000002
【特許請求の範囲】
【請求項１】
電子認証が行われている印刷データを印刷することのできる画像処理システムにおいて、
電子認証を検索する手段と、
電子認証がされていた場合に電子透かしで印刷物に認証情報を付加する手段を有する画像処理システム。
【請求項２】
請求項第1項の画像処理システムにおいて、
印刷物に電子透かしで付加する認証情報を登録する手段と、
電子承認と認証情報を対応付ける手段と、
印刷データ中の電子情報から認証情報を検索する手段と、
検索された認証情報を電子透かしで印刷物に付加する手段を有する画像処理システム。
【請求項３】
請求項第1項の画像処理システムにおいて、
電子透かしで付加する認証情報を印刷データ共に送信するホストコンピュータと、
印刷データと共に送信されてきた認証情報を電子透かしで印刷物に付加する手段を有する画像処理システム。
【請求項４】
請求項第1項及び第2項及び第3項の画像処理システムにおいて、
認証情報を印刷物の全ページに付加する手段を有する画像処理システム。
【請求項５】
請求項第1項及び第2項および第3項の画像処理システムにおいて、
電子承認が複数行われていた場合、最も優先順位の高い電子情報に対応する認証情報のみを付加することを特徴とする画像処理システム。
【発明の詳細な説明】
【技術分野】
【０００１】
画像処理システム。
【背景技術】
【０００２】
電子データを承認し、承認後に改竄できないようロックをかける技術がでてきている。また、そのようなデータを印刷する際に公開番号、特開2002-268862にあるように電子承認をされている印刷データを印刷する際に承認情報を文字列やバーコードなどで付加する技術が存在している。また、特開2000-224407のように暗号化情報を電子透かしで埋め込む技術があった。
【特許文献１】特開2002-268862号公報
【特許文献２】特開2000-224407号公報
【発明の開示】
【発明が解決しようとする課題】
【０００３】
しかしながらこれらの情報は可視情報であり、電子データから用紙などに印刷した印刷物になった場合に電子データのようなロックはかからず、通常の書類のような印鑑やサインなどで複製を禁じる手段がなかった。このため、印刷物にした段階で別途、印鑑やサインなどで承認されたことを表す作業が必要であり、文字列やバーコードなどを印刷しただけのものは偽造などを行いやすく印刷物にした場合に判別がつきにくいという問題があった。
【０００４】
また、印字データより固有値を導き付加する方法では承認情報が1つに限られるといった問題があった。
【課題を解決するための手段】
【０００５】
以上の問題点を解決するため、承認情報を電子透かしとして組み込むことにより承認情報を不可視化し偽造を防止することができ、また通常表紙のみにある承認情報を電子透かしによる不可視化によって全てのページに承認情報を付加することができセキュリティの向上を行うことができる。
【０００６】
また、複数の電子承認にも対応でき、最も優先順位の高いもののみを承認情報として付加することにより承認情報確認を迅速に行うことができる。
【発明の効果】
【０００７】
本発明によれば、電子承認がされた印刷データを印刷する際に承認情報を不可視化して印刷物に付加することにより承認情報の偽造を防ぐ事ができる。
【発明を実施するための最良の形態】
【０００８】
（実施例１）
図１は、本発明を適用したプリンタ機能、コピー機能、ファクシミリ機能を有する複合印刷装置（以下、ＭＦＰ：Ｍｕｌｔｉ  Ｆｕｎｃｔｉｏｎ  Ｐｒｏｄｕｃｔという）の内部構造を示す断面図である。
【０００９】
図１において、１００はＭＦＰであり、ネットワークを介して印字データを受取り印刷するネットワークプリンタとして使用することができる。また、ＭＦＰ１００は、電話回線にも接続されており、ファクシミリ装置としても使用でき、更に、単体でもコピー機として使用することができる。
【００１０】
１２１は、操作パネルであり、操作のためのスイッチ、及びＭＦＰ１００の状態等を表示する液晶タッチパネルで構成されている。１０１は、ＭＦＰ１００を統御する制御ユニットである。
【００１１】
レーザ・ドライバ５０２は、半導体レーザ発振器５０３を駆動するための回路であり、入力されたビデオ信号に応じて半導体レーザ発振器５０３から発射すべきレーザビーム５０４をオン・オフ切替する。レーザビーム５０４は、回転多面鏡５０５で左右方向に振られて静電ドラム５０６上を走査することにより、静電ドラム５０６上に静電潜像を形成する。この静電潜像は、静電ドラム５０６の周囲に配備された現像ユニット（トナーカートリッジ）５０７によって現像された後、記録用紙に転写される。
【００１２】
この記録用紙としては、カット・シートを用い、カット・シートは、ＭＦＰ１００に装着した給紙カセット１０８、１０９、１１０及び１１１に収納され、給紙ローラ１１３，１１４，１１５，及び１１６により装置内に取込まれ、用紙搬送ローラ１１２によって用紙搬送ベルト１１７に乗せられて像形成・現像機構を通過する。
【００１３】
記録用紙に転写されたトナー（粉末インク）は、定着器１１８で熱と圧力により記録用紙に定着される。このトナー定着がなされた記録用紙は、搬送ローラ１１９，１２０によってＭＦＰ１００の外部に排紙される。
【００１４】
１２２は、スキャナであり、原稿をセットして操作パネル１２１からコピーを指示すると、原稿は原稿台に取込まれてハロゲンランプ（不図示）で露光され、その反射像が撮像される。撮像された像は、Ａ／Ｄ変換されて制御ユニット５０１に送られ、必要な処理を施されてビデオ信号となり、レーザ・ドライバ５０２に入力される。
【００１５】
また、外部ネットワークを通して印刷データが送信されてくると、印字データは制御ユニット５０１内で解析されてビデオ信号となり、レーザ・ドライバ５０２に入力される。
【００１６】
また、電話回線からファクシミリのデータが送信されてくると、それはモデム５２３を経由して制御ユニット５０１に取り込まれ、ビデオ信号に変換されてレーザ・ドライバ５０２に入力される。
【００１７】
図２は、図１に示したＭＦＰ１００の制御ユニット５０１の概略構成を示すブロック図である。
【００１８】
201はコントローラボードの本体を示す。
【００１９】
101はホストコンピュータであり印字データを転送してくる。また、プリンタドライバを内蔵し、PDLまたはコントローラ201がPDLより生成する内部コードを直接印字データとして送信する。
【００２０】
印字データは入力インターフェース部203を介して取り込まれる。
【００２１】
操作パネル121からコピーの実行が指示されるとスキャナ122で読み取られたイメージはスキャナインタフェース部204を介して取り込まれ、ＣＰＵ202で必要な処理を施されてドットデータに変換される。
【００２２】
生成されたドットデータは出力インターフェース部209を介して印刷機構本体部104に送られ、実際に印刷される。ここで施される処理とは、例えばスキャナ122の読み取り解像度から印刷機構部104の印刷解像度への変換や、印刷機構部104の用紙の搬送方向に合わせた回転処理などである。
【００２３】
210はエッジ化HWであり、圧縮された画像イメージよりエッジを抽出し、エッジデータを生成するアクセラレータである。通常、専用のハードウェアで構成されASICまたはCPU202とは別のCPUやROM、RAMで構成されたコントローラボードなどである。本特許の請求項第2項のアクセラレータにあたる。
【００２４】
電話回線に接続されたモデム523からファクシミリのデータを受け付けるとそれはＣＰＵ202で処理され、ドットデータに変換される。生成されたドットデータは出力インターフェース部209を介して印刷機構本体部104に送られ、実際に印刷される。ここで行なわれる処理とは例えばハフマン圧縮された印字データの伸長などである。
【００２５】
ＣＰＵ202によるこれら一連の処理の処理手順は全てＲＯＭ206内にプログラムされており、このプログラムに従ってＣＰＵ202は動作する。
【００２６】
本実施例では変換された画像イメージはRAM208に格納される。蓄えられた画像イメージは出力インターフェース部209を通して印刷機構本体部104に送られ、実際に印刷される。
【００２７】
また、ホストコンピュータ101やスキャナ122、及びモデム523からのデータはＲＡＭ208上に蓄えられて必要な処理が施される。
【００２８】
205は一般のＥＥＰＲＯＭ等で構成する不揮発性メモリであり、以後ＮＶＲＡＭ(Non Volatile RAM)と称す。ＮＶＲＡＭ205には操作パネル121で指定されたパネル設定値が記憶される。
【００２９】
図7は電子承認データとそれに対応する電子透かしで印刷する承認情報を管理するテーブルの概念図の一例である。電子承認データ、承認情報のそれぞれを格納するアドレスを対応させ、かつそれぞれの電子承認データに対する優先順位も格納する。
【００３０】
図3は本発明における請求項第1項及び第2項の各手段を有する画像処理装置の動作を説明するフローチャートであり、印刷時に於けるコントローラボード201の動作を説明したものである。
【００３１】
印刷データを受信する。（S301）
印刷データを解析する。（S302）
印刷データ中に電子承認データがあるかを判定する。(S303)
電子承認データがあった場合、該電子承認データが図7のテーブルに登録されているかを検索する。（S304）
電子承認データが登録されており、対応する承認データがあるならば、(S305)
画像イメージを作成後、（S306）
ステップ304で検索された承認データを電子透かしで画像データに付加し、(S307)
印刷を行う。（S309）
電子承認がされていない場合や登録されていない場合には画像イメージを作成し、（S308）
承認情報を付加することなく印刷を行う。（S309）
図4は本発明における請求項第3項の各手段を有する画像処理装置の動作を説明するフローチャートであり、印刷時に於けるコントローラボード201の動作を説明したものである。
【００３２】
印刷データを受信する。（S401）
印刷データを解析する。（S402）
印刷データ中に電子承認データがあるかを判定する。(S403)
電子承認データがあった場合、該電子承認データが印刷データに付加されているかを検索する。（S404）
承認データが添付されているならば、(S405)
画像イメージを作成後、（S406）
ステップ404で検索された承認データを電子透かしで画像データに付加し、(S407)
印刷を行う。（S409）
電子承認がされていない場合や印刷データに付加されていない場合には画像イメージを作成し、（S408）
承認情報を付加することなく印刷を行う。（S409）
図5は本発明における請求項第4項の各手段を有する画像処理装置の動作を説明するフローチャートである。
【００３３】
印刷データを受信する。（S501）
印刷データを解析する。（S502）
印刷データ中に電子承認データがあるかを判定する。(S503)
電子承認データがあった場合、該電子承認データが図7のテーブルに登録されているかを検索する。（S504）
電子承認データが登録されており、対応する承認データがあるならば、(S505)
画像イメージを作成後、（S506）
ステップ304で検索された承認データを電子透かしで各ページの画像データに付加し、(S507)
印刷を行う。（S509）
電子承認がされていない場合や登録されていない場合には画像イメージを作成し、（S508）
承認情報を付加することなく印刷を行う。（S509）
図6は本発明における請求項第5項の各手段を有する画像処理装置の動作を説明するフローチャートである。
【００３４】
印刷データを受信する。（S601）
印刷データを解析する。（S602）
印刷データ中に電子承認データがあるかを判定する。(S603)
電子承認データがあった場合、該電子承認データが図7のテーブルに登録されているかを検索する。（S604）
電子承認データが登録されており、対応する承認データがあるならば、(S605)
対応する承認データをもつ電子承認が複数あるかを確認する。（S606）
複数あるならば図7のテーブルより最もプライオリティの高い電子承認を選択する。ここで、最もプライオリティの高い電子承認が複数選択されてもよい。（S607）
画像イメージを作成後、（S608）
ステップ607で検索された電子データに対応する承認データを電子透かしで画像データに付加し、(S609)
印刷を行う。（S611）
対応する承認データをもつ電子承認が複数なければ、(S607)
画像イメージを作成後、（S608）
ステップ604で検索された電子データに対応する承認データを電子透かしで画像データに付加し、(S609)
印刷を行う。（S611）
電子承認がされていない場合や登録されていない場合には画像イメージを作成し、（S610）
承認情報を付加することなく印刷を行う。（S611）
【図面の簡単な説明】
【００３５】
【図１】本発明を適用したＭＦＰの概略構造を示す断面図である。
【図２】図１に示したＭＦＰの制御ユニットの概略構成を示すブロック図である。
【図３】本発明の第１の実施形態における印刷処理を示すフローチャートである。
【図４】本発明の第1の実施形態における印刷処理を示すフローチャートである。
【図５】本発明の第1の実施形態における印刷処理を示すフローチャートである。
【図６】本発明の第1の実施形態における印刷処理を示すフローチャートである。
【図７】電子承認データとそれに対応する電子透かしで印刷する承認情報を管理するテーブルの概念図の一例である。
【符号の説明】
【００３６】
１００  ＭＦＰ
１０１  ホストコンピュータ
１０４  印刷機構部
１２１  操作パネル
１２２  スキャナ
２０１  コントローラボード
２０２  ＣＰＵ
２０３  入力インタフェース部
２０４  スキャナインターフェイス
２０５  ＮＶＲＡＭ
２０６  ＲＯＭ
２０７  ＲＡＭ
２０９  出力インタフェース部
２１０  エッジ化HW
５２３  モデム
【図１】
2007036838.tif 000003
【図２】
2007036838.tif 000004
【図３】
2007036838.tif 000005
【図４】
2007036838.tif 000006
【図５】
2007036838.tif 000007
【図６】
2007036838.tif 000008
【図７】
2007036838.tif 000009